【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】膜厚３００μｍ以下のグラファイト化可能なフィルムを不活性ガス中で室温から昇温して１０００℃から１６００℃の温度範囲までで焼成する予備処理工程と、
前記予備処理工程後室温から昇温して温度２５００℃以上の温度まで焼成しグラファイトシートを得る本処理工程と、
前記本処理工程で得られたグラファイトシートを圧延処理する圧延処理工程と
を有し、
前記圧延処理工程では、前記グラファイトシートを前記グラファイトシート間に金属材料を配して複数枚積層し圧延処理し、
前記金属材料が、インジウムおよび錫のいずれか、または前記インジウムおよびスズのいずれかを主たる成分とする合金であり、
前記圧延処理工程で圧延処理するときの温度が、前記金属材料の融点よりも−５０度以上であって＋３０℃以下の範囲内にある、
グラファイトシートの作製方法。
【請求項２】  前記金属材料が、厚さが１０μｍから２００μｍである箔状である請求項１記載のグラファイトシートの作製方法。
【請求項３】  前記金属材料が、厚さが１０μｍから２００μｍであるリボン状である請求項１記載のグラファイトシートの作製方法。
【請求項４】  前記金属材料が、太さが１０μｍから３００μｍである細線状または太さが１０μｍから３００μｍである細線からなるメッシュ状である請求項１記載のグラファイトシートの作製方法。
【請求項５】  前記金属材料が、直径が１０μｍから５００μｍである粉末状である請求項１記載のグラファイトシートの作製方法。
【請求項６】複数層のグラファイトシートと、
前記複数層のグラファイトシートの間に挟まれ、インジウムおよび錫のいずれか、または前記インジウムおよびスズのいずれかを主たる成分とする合金と
からなる金属材料とからなるグラファイトシート積層体。
【手続補正２】
【補正対象書類名】明細書
【補正対象項目名】００２４
【補正方法】変更
【補正の内容】
【００２４】
より具体的には、本発明は、
膜厚３００μｍ以下のグラファイト化可能なフィルムを不活性ガス中で室温から昇温して１０００℃から１６００℃の温度範囲までで焼成する予備処理工程と、
前記予備処理工程後室温から昇温して温度２５００℃以上の温度までで焼成しグラファイトシートを得る本処理工程と、
前記本処理工程で得られたグラファイトシートを圧延処理する圧延処理工程とを有し、
前記圧延処理工程では、前記グラファイトシートを前記グラファイトシート間に金属材料を配して複数枚積層し圧延処理し、
前記金属材料が、インジウムおよび錫のいずれか、または前記インジウムおよびスズのいずれかを主たる成分とする合金であり、
前記圧延処理工程で圧延処理するときの温度が、前記金属材料の融点よりも−５０度以上であって＋３０℃以下の範囲内にある、
グラファイトシートの作製方法である。
【手続補正３】
【補正対象書類名】明細書
【補正対象項目名】００２８
【補正方法】変更
【補正の内容】
【００２８】
ここで、金属材料は、インジウムおよび錫のいずれか、またはインジウムおよび錫を主たる成分とする合金である。
【手続補正４】
【補正対象書類名】明細書
【補正対象項目名】００３０
【補正方法】変更
【補正の内容】
【００３０】
そして、金属材料が、厚さが１０μｍから２００μｍである箔状であるか、厚さが１０μｍから２００μｍであるリボン状であるか、太さが１０μｍから３００μｍである細線状または太さが１０μｍから３００μｍである細線からなるメッシュ状であるか、直径が１０μｍから５００μｍである粉末状であることが好ましい。
【手続補正５】
【補正対象書類名】明細書
【補正対象項目名】００３３
【補正方法】変更
【補正の内容】
【００３３】
以上において、圧延処理工程で圧延処理するときの温度が、金属材料の融点よりも−５０度以上であって＋３０℃以下の範囲内にある。
【手続補正６】
【補正対象書類名】明細書
【補正対象項目名】００３６
【補正方法】削除
【補正の内容】
【手続補正７】
【補正対象書類名】明細書
【補正対象項目名】００３７
【補正方法】削除
【補正の内容】
【手続補正８】
【補正対象書類名】明細書
【補正対象項目名】００３８
【補正方法】削除
【補正の内容】
【手続補正９】
【補正対象書類名】明細書
【補正対象項目名】００３９
【補正方法】削除
【補正の内容】
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】変更
【補正の内容】
【００４８】
一方、物に係る本発明は、複数層のグラファイトシートと、前記複数層のグラファイトシートの間に挟まれ、インジウムおよび錫のいずれか、または前記インジウムおよびスズのいずれかを主たる成分とする合金とからなる金属材料とからなるグラファイトシート積層体である。
【手続補正１９】
【補正対象書類名】明細書
【補正対象項目名】００４９
【補正方法】削除
【補正の内容】
【手続補正２０】
【補正対象書類名】明細書
【補正対象項目名】００５０
【補正方法】変更
【補正の内容】
【００５０】
【発明の実施の形態】
以下、本発明の各実施の形態に即し、より具体的に説明をする。
（実施の形態１）
本実施の形態では、まず、出発高分子フィルムとしては、東レ・デュポン社製のポリイミドフィルム（商品名カプトン）の厚さ５０μｍのものを用いた。
【手続補正２１】
【補正対象書類名】明細書
【補正対象項目名】００７７
【補正方法】削除
【補正の内容】
【手続補正２２】
【補正対象書類名】明細書
【補正対象項目名】００７８
【補正方法】削除
【補正の内容】
【手続補正２３】
【補正対象書類名】明細書
【補正対象項目名】００７９
【補正方法】削除
【補正の内容】
【手続補正２４】
【補正対象書類名】明細書
【補正対象項目名】００８０
【補正方法】削除
【補正の内容】
【手続補正２５】
【補正対象書類名】明細書
【補正対象項目名】００８１
【補正方法】削除
【補正の内容】
【手続補正２６】
【補正対象書類名】明細書
【補正対象項目名】００８２
【補正方法】削除
【補正の内容】
【手続補正２７】
【補正対象書類名】明細書
【補正対象項目名】００８３
【補正方法】削除
【補正の内容】
【手続補正２８】
【補正対象書類名】明細書
【補正対象項目名】００８４
【補正方法】削除
【補正の内容】
【手続補正２９】
【補正対象書類名】明細書
【補正対象項目名】００８５
【補正方法】削除
【補正の内容】
【手続補正３０】
【補正対象書類名】明細書
【補正対象項目名】００８８
【補正方法】削除
【補正の内容】